(57)【特許請求の範囲】
【請求項１】
ターンテーブルを備えるトラバースシャーシと、このトラバースシャーシの一端部を第１緩衝体を介して固定側フレームに支持する支持機構と、この支持機構による支持位置を支点として上記トラバースシャーシの他端部を直線路に沿って往復移動させるカム機構と、このカム機構が上記トラバースシャーシの他端部を往動させたときに上記ターンテーブルに載架されているディスクをそのターンテーブルと共働して回転可能に挟持するクランパとを備え、
上記トラバースシャーシが、板金製のシャーシ本体と、このシャーシ本体に第２緩衝体を介して結合されて上記カム機構により直線路に沿って往復移動される樹脂成形体でなる補助部材とに前後方向で分割されていて、上記シャーシ本体の後端部がトラバースシャーシの上記一端部に相当し、かつ、上記補助部材の前端部がトラバースシャーシの他端部に相当していると共に、
上記カム機構が、上記補助部材に樹脂で一体成形された突起でなる従動子と、上記補助部材の往復移動方向に直交する方向に正逆移動されるカム板と、このカム板に設けられて上記従動子を摺動させることにより上記補助部材を直線路に沿って往復移動させるカム溝と、上記カム板が正逆移動するときに上記従動子を摺動させてその従動子の往復移動を案内する補助ガイド部材とでなり、
上記従動子が上記カム溝と摺動して往動限位置に達したときに、その従動子が、上記カム溝の乗上り面に乗り上り、かつ、その乗上り面に対して直交する上記補助ガイド部材の案内面に対峙するようになっているディスク装置において、
上記乗上り面に乗り上がってきた上記従動子を押圧して上記乗上り面と上記案内面とに弾圧させる押圧手段を備え、
上記押圧手段が、上記乗上り面と上記案内面との両方に対して傾斜する方向に上記従動子の外周面の１箇所を押圧するばね体でなり、このばね体が、樹脂製の上記補助ガイド部材と共に樹脂で一体成形されていることを特徴とするディスク装置。
【請求項２】
上記シャーシ本体の後端部は、その左右２箇所で、上記第１緩衝体を介して上記固定側フレームに支持され、上記補助部材は、その左右２箇所で、上記第２緩衝体を介して上記シャーシ本体に結合されている請求項１に記載したディスク装置。
【請求項３】
上記補助ガイド部材が、上記カム板の正逆移動を案内するスライド面を備えた樹脂成形体でなる上記固定側フレームに樹脂で一体成形されている請求項１に記載したディスク装置。
【発明の詳細な説明】
【技術分野】
【０００１】
本発明は、ディスク装置、特に、クランパとの間でディスクを挟持して回転させるターンテーブルがトラバースシャーシに搭載されているものにおいて、ディスクの自励振動に起因するディスクの読取りエラーを抑制するための対策を講じたディスク装置に関する。
【背景技術】
【０００２】
この種のディスク装置では、固定側フレーム（ローダシャーシ）にトラバースシャーシの一端部が支持されていて、トラバースシャーシが固定側フレームとの支持位置を支点と１て直線路に沿って傾動可能（往復移動可能）になっている。また、トラバースシャーシには、光ピックアップなどの光学要素のほかターンテーブルが搭載されていて、トラバースシャーシがターンテーブルを伴って往動すると、ターンテーブルに載架されているディスクが、上記固定側フレーム取り付けられて定位置で待ち受けているクランパとターンテーブルとの共働により挟持される。そして、クランパとターンテーブルとにより挟持されたディスクがターンテーブルと共に回転され、その回転中に、光ピックアップによりディスクが光学的に処理される（たとえば、特許文献１参照）。
【０００３】
また、この種のディスク装置では、偏重心ディスクが光学的処理の対象になった場合、ターンテーブルと共に回転するディスクの重心位置の偏りに起因して生じる自励振動によって、光ピックアップを搭載しているトラバースシャーシの位置安定性が低下するという事態が起こり得る。そこで、従来のディスク装置にあっても、そのようなトラバースシャーシの位置安定性を高めることに役立つ対策が種々講じられている。
【０００４】
その対策の１つとして、トラバースシャーシを、シャーシ本体とこのシャーシ本体よりも前後方向長さの短い補助部材（レバーシフト）とに分割した上で、シャーシ本体を板金製にすることによってトラバースシャーシの重量を増大させると共に、シャーシ本体の後端部（トラバースシャーシの一端部に相当する）をダンパー作用を発揮する第１緩衝体を介して上記固定側フレームに支持させ、かつ、樹脂製の上記補助部材を第２緩衝体を介してシャーシ本体に結合するという対策を講じることがある。この対策が講じられていると、トラバースシャーシの全体を樹脂製としたものよりもトラバースシャーシの重量が増大しているために、トラバースシャーシが振動しにくくなり、それに見合って上記した自励振動に起因するトラバースシャーシの位置安定性が高まる。また、トラバースシャーシを構成しているシャーシ本体の後端部と固定側フレームとの結合箇所に第１緩衝体が介在され、かつ、そのシャーシ本体と補助部材との結合箇所にも第２緩衝体が介在されていることにより、それらの緩衝体がダンパーとしての作用を発揮して上記した自励振動に起因するトラバースシャーシの位置安定性を高めることに役立つ。
【０００５】
上記対策の他の１つとして、固定側フレームとの支持位置を支点としてトラバースシャーシの他端部を直線路に沿って傾動（往復移動）させるためのカム機構の構成に工夫を講じることがある。図４には、従来例としてのディスク装置に採用されたそのようなカム機構を示している。
【０００６】
図４は従来例によるディスク装置のカム機構１０の要部を示した概略正面図である。このカム機構１０は、トラバースシャーシを構成しているシャーシ本体と補助部材とのうちの補助部材に設けられている従動子２０と、トラバースシャーシの他端部の往復移動方向に直交する方向（矢印Ｘ）のように正逆移動されるカム板３０と、このカム板３０に設けられて従動子２０を摺動させることによりトラバースシャーシの他端部（補助部材の前端部）を直線路に沿って往復移動させるカム溝３１と、カム板３０が正逆移動するときに従動子２０を摺動させてその従動子２０の往復移動を案内するまっすぐな案内面４１を有する補助ガイド部材４０とでなる。カム板３０のカム溝３１には、従動子２０がその往動限位置で乗り上がる水平な乗上り面３２と、従動子２０がその復動限位置で乗り上がる水平な乗上り面（不図示）と、それらの各乗上り面を連続させる傾斜面３４とが備わっている。
【０００７】
上記カム機構１０を備えるディスク装置において、トラバースシャーシに搭載されているターンテーブルと上記したクランパとが共働してディスクを挟持しているときには、図４に示したように、カム溝３１の乗上り面３２に乗り上がっている従動子２０が、カム溝３１内に位置して案内面４１により左右方向で挟まれ、補助ガイド部材４０に設けられている樹脂ばね部４２の矢印Ｍ方向の押付け作用により補助ガイド部材４０の案内面４１に矢印Ｍ１のように略直角に弾圧的に押し付けられている。このため、従動子２０及びその従動子２０を備えているトラバースシャーシの他端部は、同図に矢印Ａで示したトラバースシャーシの往復移動方向（上下方向）及び同図に矢印Ｂで示したトラバースシャーシの往復移動方向に直交する方向（左右方向）で一応は位置決めされている。
【特許文献１】特開２００７−１７２７８７号公報
【発明の開示】
【発明が解決しようとする課題】
【０００８】
図４を参照して説明したカム機構１０において、冒頭で説明したディスクの重心位置の偏りに起因して生じる自励振動によってトラバースシャーシの位置安定性が低下するという事態を抑制するためには、カム溝３１の乗上り面３２に乗り上がっているカム機構１０の従動子２０が、カム溝３１や案内面４１により挟まれて矢印Ａ、矢印Ｂで示した互いに直交する方向で正確に位置決めされていることが望まれる。
【０００９】
しかしながら、カム溝３１の乗上り面３２に乗り上がっているカム機構１０の従動子２０とカム溝３１の相互間には、従動子２０の円滑移動を許容する上で不可欠な隙間や製作誤差に起因する隙間などが存在しているために、樹脂ばね部４２によって従動子２０が案内面４１に弾圧的に押し付けられているとしても、従動子２０が上記した矢印Ａのようにトラバースシャーシの往復移動方向（上下方向）でがたつきなく正確に位置決めされることはない。そのため、上記カム機構１０では、ディスク回転中の自励振動が従動子２０に伝わり、従動子２０が振動して光ピックアップによる光学的読取りエラーを生じやすくなり、画像乱れや音飛びなどを発生しやすくなるという問題がある。
【００１０】
この問題は、特に偏重心を持つディスクを再生するときなどに起こりやすいことが判っている。また、従動子の振動によって発生する熱の影響でカム溝３４の乗上り面３２や補助ガイド部材４０の案内面４１などが変形して光学的読取りエラーを生じさせやすくなるおそれがあり、そのおそれは、温度６５℃、湿度８０％といった高温環境下や、温度６５℃、湿度８０％、貯蔵時間１２０時間といった高温貯蔵後において特に顕著に現れることが判っている。
【００１１】
そこで、本発明は、トラバースシャーシが、シャーシ本体と補助部材とに前後方向で分割されていて、シャーシ本体の後端部が第１緩衝体を介して固定側フレームに支持され、補助部材がシャーシ本体に第２緩衝体を介して結合され、その補助部材にカム機構の従動子が樹脂で一体成形されているようなディスク装置において、ターンテーブルとクランパとによって挟持されたディスクの回転中に、カム溝の乗上り面に乗り上がっているカム機構の上記従動子がカム溝内で振動を起こすという事態を抑制することによって、光ピックアップによる光学的読取りエラーを生じにくくすることのできるディスク装置を提供することを目的とする。
【００１２】
特に、本発明は、図４を参照して説明したディスク装置のカム機構の一部の構成を改善するだけで済み、余分な部品を追加することなく上記した目的を達成することのできるディスク装置を提供することを目的としている。
【課題を解決するための手段】
【００１３】
本発明に係るディスク装置は、ターンテーブルを備えるトラバースシャーシと、このトラバースシャーシの一端部を第１緩衝体を介して固定側フレームに支持する支持機構と、この支持機構による支持位置を支点として上記トラバースシャーシの他端部を直線路に沿って往復移動させるカム機構と、このカム機構が上記トラバースシャーシの他端部を往動させたときに上記ターンテーブルに載架されているディスクをそのターンテーブルと共働して回転可能に挟持するクランパとを備えている。また、上記トラバースシャーシが、板金製のシャーシ本体と、このシャーシ本体に第２緩衝体を介して結合されて上記カム機構により直線路に沿って往復移動される樹脂成形体でなる補助部材とに前後方向で分割されていて、上記シャーシ本体の後端部がトラバースシャーシの上記一端部に相当し、かつ、上記補助部材の前端部がトラバースシャーシの他端部に相当している。さらに、上記カム機構が、上記補助部材に樹脂で一体成形された突起でなる従動子と、上記補助部材の往復移動方向に直交する方向に正逆移動されるカム板と、このカム板に設けられて上記従動子を摺動させることにより上記補助部材を直線路に沿って往復移動させるカム溝と、上記カム板が正逆移動するときに上記従動子を摺動させてその従動子の往復移動を案内する補助ガイド部材とでなり、上記従動子が上記カム溝と摺動して往動限位置に達したときに、その従動子が、上記カム溝の乗上り面に乗り上り、かつ、その乗上り面に対して直交する上記補助ガイド部材の案内面に対峙するようになっている。そして、上記乗上り面に乗り上がってきた上記従動子を押圧して上記乗上り面と上記案内面とに弾圧させる押圧手段を備えている。しかも、上記押圧手段が、上記乗上り面と上記案内面との両方に対して傾斜する方向に上記従動子の外周面の１箇所を押圧するばね体でなり、このばね体が、樹脂製の上記補助ガイド部材と共に樹脂で一体成形されている。
【００１４】
この構成であると、シャーシ本体が板金製であることによりトラバースシャーシの重量が増大してトラバースシャーシが振動しにくくなる。また、トラバースシャーシを構成しているシャーシ本体が第１緩衝体を介して固定側フレームに支持され、同じくトラバースシャーシを構成している補助部材が第２緩衝体を介してシャーシ本体に結合されていることにより、ディスクの自励振動が第１緩衝体や第２緩衝体により吸収されてトラバースシャーシの振動が緩和される。特に、第２緩衝体の吸振作用により、ディスクの自励振動がカム溝の乗上り面に乗り上がっているカム機構の従動子にも伝わりにくくなることと併せて、その従動子が押圧手段によって乗上り面と補助ガイド部材の案内面との両方に弾圧されているために、従動子が互いに直交する２方向でがたつきなく正確に位置決めされるようになってトラバースシャーシの位置安定性が高まる。そのため、回転中のディスクが振動して光ピックアップによる光学的読取りエラーを生じやすいという問題が解消されて、画像乱れや音飛びなどを発生しにくいディスク装置を提供することが可能になる。
【００１５】
本発明では、上記シャーシ本体の後端部は、その左右２箇所で、上記第１緩衝体を介して上記固定側フレームに支持され、上記補助部材は、その左右２箇所で、上記第２緩衝体を介して上記シャーシ本体に結合されていることが望ましい。
【００１６】
本発明では、上記押圧手段が、上記乗上り面と上記案内面との両方に対して傾斜する方向に上記従動子の外周面の１箇所を押圧するばね体でなる、という構成を採用し、加えて、上記ばね体が、樹脂製の上記補助ガイド部材と共に樹脂で一体成形されているという構成を採用している。このため、ばね体として余分な部品を追加する必要がないという利点がある。
【００１７】
また、本発明では、上記補助ガイド部材が、上記カム板の正逆移動を案内するスライド面を備えた樹脂成形体でなる上記固定側フレームに樹脂で一体成形されている、という構成を採用することも可能である。
【発明の効果】
【００１８】
以上説明したように、本発明に係るディスク装置によれば、ターンテーブルとクランパとによって挟持されたディスクの回転中にディスクが自励振動を起こしたとしても、カム溝の乗上り面に乗り上がっているカム機構の従動子が振動するという事態が抑制されて光ピックアップによる光学的読取りエラーが生じにくくなる。さらに、本発明では、余分な部品を追加することなく、カム機構の一部の構成を改善するだけで、トラバースシャーシの自励振動による従動子の振動を抑制して、上記したような光ピックアップによる光学的読取りエラーが生じにくくなるという作用を得ることができるという効果が奏される。
【発明を実施するための最良の形態】
【００１９】
図１は本発明の実施形態に係るディスク装置の概略構成を示した平面図、図２は図１のディスク装置に用いられているトラバースシャーシとカム機構とを示した概略分解斜視図である。また、図３はカム機構の要部を示した概略正面図である。
【００２０】
図１において、６０は矩形枠形に形成されたローダシャーシとしての固定側フレームであり、この固定側フレーム６０に対し、図示していないディスクトレイが矢印Ｌで示した出入れ方向（前後方向）に出退するようになっている。
【００２１】
固定側フレーム６０には、光ピックアップ６１などの光学要素のほか、ターンテーブル６２を搭載したトラバースシャーシ５０が取り付けられている。トラバースシャーシ５０は、その長手方向（前後方向に一致する）の一端部５１が固定側フレーム６０に取り付けられていて、その取付箇所を支点としてその反対側の長手方向の他端部（自由端）５２が上下方向に傾動自在になっている。図例のディスク装置において、上記取付箇所であるトラバースシャーシ５０の一端部５１には、その左右２箇所に緩衝体５３，５３が介在されていて、これらの緩衝体５３，５３によってトラバースシャーシ５０や固定側フレーム６０の振動が吸収されるようになっている。緩衝体５３は防振ゴムでなる。また、これらの緩衝体５３，５３の変形を通じてトラバースシャーシ５０の他端部５２が取付箇所を支点として一点鎖線イの回りで直線路に沿って往復移動（傾動）することができるようになる。上記したトラバースシャーシ５０の一端部５１と固定側フレーム６０とは、緩衝体５３，５３を介して図示していない取付ねじによりビス止めされている。したがって、緩衝体５３及び取付ねじは、トラバースシャーシ５０の一端部５１を固定側フレーム６０に支持する支持機構を構成している。
【００２２】
図２に示したように、トラバースシャーシ５０は、板金製のシャーシ本体５５と、このシャーシ本体５５に結合されている樹脂成形体でなるレバーシフトとしての補助部材５６とに分割されている。そして、図１によって判るように、シャーシ本体５５の後端部（トラバースシャーシ５０の一端部５１に相当している）は、その左右２箇所が、防振ゴムでなる第１緩衝体５３，５３を介し、取付ねじ（不図示）を用いてビス止め結合されている。また、図２のように、シャーシ本体５５と補助部材５６とは、それらの左右２箇所が防振ゴムでなる第２緩衝体５７，５７を介し、取付ねじ５８，５８を用いてビス止め結合されている。
【００２３】
次にカム機構１０を図１又は図２を参照して説明する。カム機構１０は、補助部材５６の前端部（トラバースシャーシ５０の他端部５２に相当している）の左右２箇所に設けられている突起でなる従動子２０と、カム板３０と、このカム板３０に設けられているカム溝３１と、補助ガイド部材４０とを備えている。この実施形態において、カム板３０は、トラバースシャーシ５０の他端部５２の往復移動方向に直交する方向（図１に矢印Ｘで示した左右方向）に正逆移動されるようになっている。補助ガイド部材４０の案内面４１は、カム板３０が正逆移動するときに従動子２０を摺動させてその従動子２０のまっすぐな往復移動を案内する役割を果たす。上記補助部材５６の前端部はトラバースシャーシ５０の他端部５２に相当している。
【００２４】
このディスク装置では、固定側フレーム６０にクランパ（不図示）が取り付けられていて、このクランパがトラバースシャーシ５０に搭載されているターンテーブル６２と共働してディスクを挟持し得るようになっていると共に、クランパとターンテーブル６２とによって挟持されているディスクが、ターンテーブル６２と共に回転するようになっている。
【００２５】
トラバースシャーシ５０に搭載されているターンテーブル６２と上記クランパとが共働してディスクを挟持しているときには、図３に示したように、カム溝３１の乗上り面３２に乗り上がっているカム機構１０の１つの従動子２０が、カム溝３１内で案内面４１によって挟まれている。このため、従動子２０及びその従動子２０を備えているトラバースシャーシ５０の他端部５２は、トラバースシャーシ５０の往復移動方向（上下方向）及びトラバースシャーシ５０の往復移動方向に直交する方向（左右方向）で一応は位置決めされている。
【００２６】
しかしながら、この構成のままでは、カム溝３１の第１乗上り面３２に乗り上がっている従動子２０と案内面４１との相互間、並びに、そのような従動子２０とカム溝３１の相互間に、従動子２０の円滑移動を許容する上で不可欠な隙間や製作誤差に起因する隙間などが存在しているために、従動子２０が互いに直交する上記２方向でがたつきなく正確に位置決めされているとはいえない。したがって、上記した構成を備えているだけに過ぎないカム機構１０では、ディスク回転中にディスクが自励振動を起こしたときに、従動子２０が振動してトラバースシャーシ５０の位置安定性が損なわれるという事態の起こるおそれがある。
【００２７】
そこで、この実施形態では、カム溝３１の乗上り面３２に乗り上がってきた従動子２０を押圧してその乗上り面３２と補助ガイド部材４０の案内面４１とに弾圧させる押圧手段を設けてある。この押圧手段は図２及び図３に示したばね体８０でなる。図例では、ばね体８０が、樹脂製の補助ガイド部材４０の案内面４１に沿う切込み４３をその補助ガイド部材４０に具備させることによって、その補助ガイド部材４０に一体に樹脂で一体成形された樹脂ばねでなる。さらに具体的には、図３のように、カム溝３１の乗上り面３２に乗り上がった従動子２０に弾接する位置に上記樹脂ばねでなるばね体８０を形成してあると共に、そのばね体８０に傾斜面８１を具備させてある。そして、この傾斜面８１が、カム溝３１の乗上り面３２に乗り上がった従動子２０の外周面の１箇所を押圧することによって、その従動子２０を第１乗上り面３２と案内面４１との両方に対して矢印Ｍのように傾斜する方向に押圧するようになっている。このため、カム溝３１の乗上り面３２に乗り上がった従動子２０が、ばね体８０の弾圧作用によって案内面４１と乗上り面３２との両方に矢印Ｍ１，Ｍ２のように弾圧されるようになり、従動子２０が互いに直交する２方向でがたつきなく正確に位置決めされるようになる。その結果、ディスク回転中にディスクが自励振動を起こしたときに、従動子２０が振動するという事態の起こるおそれが少なくなって、トラバースシャーシ５０の位置安定性が損なわれるという事態の起こるおそれがなくなる。このように、従動子２０が振動しにくくなるという状況は、シャーシ本体５５と補助部材５６との結合箇所に第１緩衝体５７が介在されていることによってより顕著になる。したがって、回転中のディスクが自励振動して光ピックアップによる光学的読取りエラーを生じやすいという問題が解消され、特に偏重心ディスクを取り扱うときであっても画像乱れや音飛びなどが発生しにくくなる。また、ディスクの自励振動に伴う従動子２０の振動によって発生する熱の影響でカム溝３４の乗上り面３２や補助ガイド部材４０の案内面４１などが変形して光学的読取りエラーを生じるというおそれもなくなる。
【００２８】
この実施形態では、２箇所の従動子２０，２０のうちの１つだけを互いに直交する２方向でがたつきなく正確に位置決めする対策を講じているけれども、この点は、２箇所の従動子２０，２０の両方に図３に示した構成を適用することによって、それらの従動子２０，２０の両方を互いに直交する２方向でがたつきなく正確に位置決めすることも可能である。
【図面の簡単な説明】
【００２９】
【図１】本発明の実施形態に係るディスク装置の概略構成を示した平面図である。
【図２】図１のディスク装置に用いられているトラバースシャーシ５０とカム機構１０とを示した概略分解斜視図である。
【図３】カム機構の要部を示した概略正面図である。
【図４】従来例としてのディスク装置に用いられているカム機構を示した概略正面図である。
【符号の説明】
【００３０】
１０  カム機構
２０  従動子
３０  カム板
３１  カム溝
４０  補助ガイド部材
４１  案内面
５０  トラバースシャーシ
５１  トラバースシャーシの一端部
５２  トラバースシャーシの他端部
５３  第１緩衝体
５５  シャーシ本体
５６  補助部材
５７  第２緩衝体
６０  固定側フレーム
６２  ターンテーブル
３２  乗上り面
８０  ばね体
【図１】
0004492720.tif 000002
【図２】
0004492720.tif 000003
【図３】
0004492720.tif 000004
【図４】
0004492720.tif 000005